(57)【特許請求の範囲】
【請求項１】
独立してファイル操作可能な画像ファイルと音声ファイルとを関連付けて記録装置に記録可能であり、記録された画像ファイルに対して属性の設定および解除を行うデジタルカメラにおいて、
前記記録装置に記録された前記画像ファイルに基づき画像を表示装置に表示させる際、前記表示する画像に対応する画像ファイルに関連付けられた音声ファイルが存在する場合には、当該音声ファイルの存在を示す標記を前記表示される画像に重畳して表示させると共に、前記表示する画像に対応する画像ファイルに対して前記属性の設定が行われた場合には、前記属性設定を示す標記を前記表示される画像に重畳して表示させる表示手段と、
前記表示装置に表示された画像に対して選択操作を行う操作手段と、
前記操作手段によって選択された画像に対応する画像ファイルに対して前記属性の設定を行う属性設定手段と、
前記操作手段によって選択された画像ファイルに対して属性の解除を行う属性解除手段と、
前記属性設定手段によって属性設定された画像ファイルに関連付けられた音声ファイルが存在するか否かを判定する第１の判定手段と、
前記属性解除手段によって属性解除された画像ファイルに関連付けられた音声ファイルが存在するか否かを判定する第２の判定手段と、
を備え、
前記属性設定手段は、前記第１の判定手段により音声ファイルが存在すると判定された場合に、当該音声ファイルに対して属性の設定状態を記録保存することで自動的に前記属性の設定を行い、
前記属性解除手段は、前記第２の判定手段により音声ファイルが存在すると判定された場合に、当該音声ファイルに対して属性の解除を記録保存することで自動的に前記属性の解除を行うことを特徴とするデジタルカメラ。
【請求項２】
請求項１に記載のデジタルカメラにおいて、
前記属性の設定は、ファイル属性を表す標識であるタグの設定を含むＤＯＳファイルシステムに関する設定であることを特徴とするデジタルカメラ。
【請求項３】
請求項１に記載のデジタルカメラにおいて、
前記画像ファイルに対してファイル操作が行われると、その画像ファイルに関連付けて記録された音声ファイルに対して前記ファイル操作を自動的に行うファイル操作手段を更に備えることを特徴とするデジタルカメラ。
【請求項４】
請求項３に記載のデジタルカメラにおいて、
前記ファイル操作は、前記画像ファイルを前記記録装置から削除するファイル削除操作であることを特徴とするデジタルカメラ。
【請求項５】
請求項１に記載のデジタルカメラにおいて、
音声入力手段と、
音声再生手段と、
録音再生手段に対するユーザー操作に応じて、前記音声入力手段により入力される音声に対応する音声ファイルを前記記録装置へ記録させるように指示し、または前記録音再生手段に対するユーザー操作に応じて、前記記録装置に記録された音声ファイルに対応する音声を再生するように指示する指示手段とをさらに備え、
前記表示装置に表示された画像が前記操作手段により選択された状態で、前記録音再生手段に対するユーザー操作がなされた場合、
前記操作手段により選択された画像に対応する画像ファイルに関連付けられた音声ファイルが存在しないときは、前記指示手段は、前記音声入力手段により入力される音声に対応する音声ファイルを、前記操作手段により選択された画像に対応する画像ファイルに関連付けて前記記録装置へ記録させるように指示し、
前記操作手段により選択された画像に対応する画像ファイルに関連付けられた音声ファイルが存在するときは、前記音声ファイルに対応する音声を再生するように指示することを特徴とするデジタルカメラ。
【発明の詳細な説明】
【０００１】
【発明の属する技術分野】
本発明は、デジタルカメラに関する。
【０００２】
【従来の技術】
デジタルカメラでは、ＣＣＤ等の撮像素子により被写体画像を撮像し、それをデジタル画像データに変換してカメラ内のメモリや着脱可能に設けられたメモリカード等に記録するようにしている。近年では、撮影した被写体画像に関連させて音声を録音したり、録音された音声を再生したりすることができるデジタルカメラも、一般に提供されている。このような音声録音機能や音声再生機能を有するデジタルカメラでは、画像撮影直後にその画像に対して音声録音を行ったり、すでに撮影されてメモリカードに記録されている画像を再生表示させて録音や再生を行ったりしている。
【０００３】
メモリカード内に音声データを記録する際には、そのデータの音声ファイルを画像ファイルと関連付けて記録する。画像をデジタルカメラに設けられた表示モニタで再生すると、その画像に関連付けられた音声ファイルがある場合には、モニタ上に音声が記録されていることを示す表示、例えば音符等のアイコンが画像とともに表示される。
【０００４】
メモリカードに記録された画像ファイルは、カメラのボタン操作等により削除することができる。その場合、画像ファイルの不用意な誤削除を防止するために、削除不可となるようなプロテクトをかけられるようになっているのが一般的である。例えば、メモリカードに記録されている画像ファイルの特定のものにプロテクト設定を行い、その他の画像ファイルを削除する目的で画像ファイルの全削除操作をすると、プロテクト設定された画像ファイルのみが削除されずにメモリカード内に残ることになる。
【０００５】
【発明が解決しようとする課題】
しかしながら、画像ファイルに対して行われた各種設定は、その画像ファイルに関連付けられている音声ファイルには適用されない。そのため、特定の画像ファイルにプロテクト設定をして全削除操作を行うと、プロテクト設定された画像ファイルは残るが、音声ファイルは画像ファイルのプロテクト設定とは関係なく全て削除されてしまうという問題が生じる。
【０００６】
本発明の目的は、画像ファイルに関連付けられた音声ファイルにおける不具合が発生しにくいデジタルカメラを提供することにある。
【０００７】
【課題を解決するための手段】
本発明によるデジタルカメラは、独立してファイル操作可能な画像ファイルと音声ファイルとを関連付けて記録装置に記録可能であり、記録された画像ファイルに対して属性の設定および解除を行うデジタルカメラにおいて、前記記録装置に記録された前記画像ファイルに基づき画像を表示装置に表示させる際、前記表示する画像に対応する画像ファイルに関連付けられた音声ファイルが存在する場合には、当該音声ファイルの存在を示す標記を前記表示される画像に重畳して表示させると共に、前記表示する画像に対応する画像ファイルに対して前記属性の設定が行われた場合には、前記属性設定を示す標記を前記表示される画像に重畳して表示させる表示手段と、前記表示装置に表示された画像に対して選択操作を行う操作手段と、前記操作手段によって選択された画像に対応する画像ファイルに対して前記属性の設定を行う属性設定手段と、前記操作手段によって選択された画像ファイルに対して属性の解除を行う属性解除手段と、前記属性設定手段によって属性設定された画像ファイルに関連付けられた音声ファイルが存在するか否かを判定する第１の判定手段と、前記属性解除手段によって属性解除された画像ファイルに関連付けられた音声ファイルが存在するか否かを判定する第２の判定手段と、を備え、前記属性設定手段は、前記第１の判定手段により音声ファイルが存在すると判定された場合に、当該音声ファイルに対して属性の設定状態を記録保存することで自動的に前記属性の設定を行い、前記属性解除手段は、前記第２の判定手段により音声ファイルが存在すると判定された場合に、当該音声ファイルに対して属性の解除を記録保存することで自動的に前記属性の解除を行うことを特徴とする。
【０００８】
【発明の実施の形態】
以下、図を参照して本発明の実施の形態を説明する。図１は本発明によるデジタルカメラの一実施の形態を示すブロック図である。図１に示すように、本実施の形態のデジタルカメラは、撮像手段であるＣＣＤ撮像素子１０を有する撮像部１、システムＬＳＩ２０を中心とするデジタル回路部２、音声の録音および再生に関する音声回路部３、画像再生回路部４および各種操作ボタンを有する操作部５を備えている。このデジタルカメラには、画像ファイルや音声ファイルが保存される記録装置としてメモリカード６が着脱可能に設けられている。
【０００９】
ＣＣＤ撮像素子１０は複数の画素が二次元的に配設されたエリア型の撮像素子であり、ＣＣＤ撮像素子１０の撮像面上には不図示の撮影光学系により被写体像が結像される。本実施の形態では、撮像素子としてＣＣＤ型の撮像素子を例に説明するが、ＭＯＳ型の撮像素子などでもよい。ＣＣＤ撮像素子１０において被写体像は光電変換され、被写体像に応じた電気信号がＣＣＤ撮像素子１０からアナログ信号処理回路１１に入力される。
【００１０】
アナログ信号処理回路１１はＡＧＣ（不動利得制御回路）やＣＤＳ（相関二重サンプリング回路）などを含んでおり、入力された画像信号に対してゲイン調整や雑音除去等のアナログ信号処理を行う。アナログ信号処理が施された画像信号はＡ／Ｄ変換回路１２によってデジタル信号に変換され、デジタル回路部２のシステムＬＳＩ２０に入力される。ＴＧ（タイミングジェネレータ）回路１３はＣＣＤ撮像素子１０，アナログ信号処理回路１１およびＡ／Ｄ変換回路１２のそれぞれに動作タイミング信号を出力し、これらの間の動作タイミングを制御する。
【００１１】
デジタル回路部２のシステムＬＳＩ２０では、Ａ／Ｄ変換回路１２から入力されたデジタル画像データに対して、画像サイズ変更、ホワイトバランス処理、ガンマ補正等のデジタル信号処理およびデータ圧縮処理などが行われる。プログラムメモリを構成するＲＯＭ２１にはこれらの処理に関するプログラムやカメラ全体の制御プログラムが記憶されており、不図示の電源スイッチがオンされるとシステムＬＳＩ２０により制御プログラムが実行される。画像メモリを構成するＲＡＭ２２は、撮像部１から入力された画像データの一時記憶や各種画像処理や画像圧縮／伸張処理の際のバッファメモリとして利用される。また、音声回路部３で録音された音声データや、音声回路部３で再生するためにメモリカード６から読み込んだ音声データも、このＲＡＭ２２に一旦記憶される。
【００１２】
入力された音声は音声回路部３のマイク３０によりアナログ音声信号に変換され、音声処理ＬＳＩ３１に入力される。音声処理ＬＳＩ３１に入力されたアナログ音声信号は、音声処理ＬＳＩ３１において所定の周波数でサンプリングされてデジタル音声データに変換される。そのデジタル音声データはデジタル回路部２のシステムＬＳＩ２０により逐次取り込まれ、ＲＡＭ２２内に一時的に格納される。また、音声再生時には、スピーカー３２により音声が出力される。
【００１３】
画像再生回路部４には、撮影画像および再生画像を表示するための表示モニタ４０と、その表示モニタ４０の駆動制御を行うモニタコントローラ４１とが設けられている。また、各種設定を行う際のメニュー画面もこの表示モニタ４０に表示される。表示モニタ４０には、例えば、ＴＦＴ−ＬＣＤ等が用いられる。操作部５には、レリーズボタン５１、モニタボタン５２、メニューボタン５３、録音／再生ボタン５４、設定／解除ボタン５５およびマルチセレクター５６が設けられている。マルチセレクター５６は４つの矢印ボタン５６ａ〜５６ｄを有する多機能な操作ボタンであり、後述するように表示画像の切換やメニュー操作の際のメニュー切換や項目選択等に用いられる。
【００１４】
レリーズボタン５１は撮影動作を行わせるための操作ボタンであり、半押し操作によりＡＦ動作およびフォーカスロックが行われ、全押し操作によってＣＣＤ撮像素子１０により撮像された画像データが取り込まれる。モニタボタン５２は、表示モニタ４０のオン・オフ（表示・非表示）を指示する操作ボタンである。モニタボタン５２をプッシュすると表示モニタ４０がオンされて表示状態となり、メモリカード６内に記録されている画像ファイルの内の最後に記録されたファイルの画像が表示モニタ４０に再生表示される。
【００１５】
また、後述するように画像ファイルに関連付けられた音声ファイルが無い場合には、録音／再生ボタン５４を押すと音声回路部３による音声録音が行われ、音声ファイルが有る場合には、録音／再生ボタン５４を押すと音声回路部３による音声再生が行われる。なお、録音／再生ボタン５４の動作形態としては、一回目のプッシュ操作で録音・再生を開始して二回目のプッシュ操作で録音・再生を停止するようにしても良いし、ボタンのプッシュ操作が継続されている間だけ録音・再生動作を行うようにしても良い。本実施の形態では、前者をホールドタイプと呼び、後者を非ホールドタイプと呼ぶことにする。
【００１６】
《撮影動作について》
レリーズボタン５１が全押し操作されると、ＣＣＤ撮像素子１０で撮像された被写体画像の画像信号は、アナログ信号処理回路１１でゲイン調整や雑音除去等のアナログ処理が施された後に、Ａ／Ｄ変換回路５によってデジタル信号に変換される。そして、システムＬＳＩ２０に入力されたデジタル画像データは、ＲＡＭ２２に一旦記憶される。その後、ＲＡＭ２２からシステムＬＳＩ２０に画像データが読み込まれ、ホワイトバランス調整、輪郭強調、ガンマ補正等の画像前処理が行われた後に、再びＲＡＭ２２に記憶される。ＲＡＭ２２に一次的に記憶された画像データは、その後、メモリカード６に圧縮されて、または非圧縮で記録される。
【００１７】
《録音・音声再生動作について》
次いで、メモリカード６に記録されている画像への録音および、画像に関連付けて記録されている音声データの再生動作について、図２，３のフローチャートおよび図１のブロック図を用いて説明する。なお、録音／再生ボタン５４の動作は、押し込まれている間だけ録音・再生動作が行われる非ホールドタイプであるとして説明する。
【００１８】
ステップＳ１０１でモニタボタン５２が押されると、ステップＳ１０２へ進んでメモリカード６に記録されている画像ファイルの検索を行う。ステップＳ１０３ではメモリカード６内に画像ファイルが有るか否かを判定し、画像ファイルが有ると判定されるとステップＳ１０４へ進み、画像ファイルが無いと判定されると一連の録音・再生動作を終了する。
【００１９】
ステップＳ１０４では、メモリカード６内の最後に記録された画像ファイルを読み込んで、その画像を表示モニタ４０に再生表示する。このとき、読み込まれた画像ファイルのデータが圧縮データである場合には、図１のシステムＬＳＩ２０で伸張処理を施した後に、所定の形式に並べ替えられてＲＡＭ２２に記憶される。この画像データはＲＡＭ２２から再び読み出され、表示モニタ４０の表示画素数に合わせた画像サイズに変更処理されて、ＲＡＭ２２内の再生表示用領域に記憶される。再生表示用領域に記憶された再生表示用データはシステムＬＳＩ２０に読み込まれ、ＲＧＢ等のアナログ映像信号に変換された後に撮影結果として表示モニタ４０に表示される。
【００２０】
ステップＳ１０４において、表示モニタ４０に表示された画像に関連付けられた音声ファイルがメモリカード６内に記録されている場合には、画像とともに音声マーク４２を表示モニタ４０に表示する。図４は表示例を示した図であり、図４（ａ）は音声ファイルが無い場合の画像表示を示し、図４（ｂ）は音声ファイルが有る場合の画像表示を示している。図４（ｂ）では画像に関連付けられた音声ファイルが有ることを示す音声マーク４２が画面左上に表示されている。
【００２１】
ステップＳ１０５では再生時間の計時を開始する。ステップＳ１０６では、所定の再生時間が経過したか否かを判定する。ステップＳ１０６において所定再生時間が経過したと判定されると、ステップＳ１０７に進んで表示モニタ４０への画像再生を終了して、すなわち、表示モニタ４０をオフにして一連の動作を終了する。一方、ステップＳ１０６において経過していないと判定されると、ステップＳ１０８へ進む。
【００２２】
ステップＳ１０８では画像再生中にモニタボタン５２がプッシュされたか否かを判定し、プッシュされたと判定されるとステップＳ１０７へ進み、プッシュされていないと判定されると図３のステップＳ１０９へ進む。ステップＳ１０９では、録音中または音声再生中であるか否かを判定する。ステップＳ１０９において録音・再生中と判定されるとステップＳ１１０へ進み、録音・再生中でないと判定されるとステップＳ１１３へ進む。なお、録音中とは、マイク３０で音声を取り込んでからＲＡＭ２２への音声データの保存までの録音動作が行われていることを指している。
【００２３】
ステップＳ１０９からステップＳ１１０へ進んだ場合には、ステップＳ１１０において録音制限時間（録音リミット）となったか否か、または、音声データの全てを再生したか（再生終了）否かを判定する。ステップＳ１１０において録音リミットまたは再生終了になったと判定されるとステップＳ１１２へ進み、録音リミットまたは再生終了でないと判定されるとステップＳ１１１へ進む。
【００２４】
続くステップＳ１１１では、録音／再生ボタン５４の押し込みが解除されたか否かを判定する。ステップＳ１１１で解除されたと判定されるとステップＳ１１２へ進んで録音・再生を停止し、解除されておらず録音・再生中と判定されるとステップＳ１０９へ戻る。なお、録音／再生ボタン５４の動作形態がホールドタイプの場合には、ステップＳ１１１では録音／再生ボタン５４が再度押されたか否かを判定する。
【００２５】
ステップＳ１１３では、図１のマルチセレクター５６が操作されて表示画像の切換操作があったか否かを判定する。表示モニタ４０に画像を再生している状態では、マルチセレクター５６のボタン５６ｂまたはボタン５６ｄを押す毎に撮影された順序で画像が切り換えられ、ボタン５６ａまたは５６ｃを押す毎に撮影された順序とは逆の順序で画像が切り換えられる。ステップＳ１１３において画像切換が無いと判定されるとステップＳ１１４へ進み、画像切換があったと判定されるとステップＳ１０４に戻り、表示モニタ４０に表示されている画像の次または前の画像データをメモリカード６から読み込んで、その画像を表示モニタ４０に再生表示する。
【００２６】
ステップＳ１１４では表示されている画像に関連付けされた音声ファイルが有るか否かを判定し、図４（ｂ）に示す画像の場合には有ると判定されてステップＳ１１５へ進み、図４（ａ）に示す画像の場合には無いと判定されてステップＳ１１７へ進む。テップＳ１１５では、音声再生ボタン５５が押されて再生が指示されたか否かを判定する。ステップＳ１１５において押されたと判定されると、ステップＳ１１６に進んで再生を開始し、押されていないと判定されると、図２のステップＳ１０６へ戻る。
【００２７】
音声再生時には、メモリカード６に記録されている音声データを一旦ＲＡＭ２２に読み込んだ後に、音声回路部３を再生モードで動作させて、ＲＡＭ２２上の音声データを順次音声処理ＬＳＩ３１に送る。デジタル音声信号は音声処理ＬＳＩ３１でアナログ音声信号に変換され、スピーカー３２により音声再生される。
【００２８】
一方、ステップＳ１１４からステップＳ１１７へ進んだ場合には、録音／再生ボタン５４が押されたか否かを判定する。ステップＳ１１７において押されたと判定されるとステップＳ１１８に進んで録音を開始する。録音時には音声回路部３を録音モードで動作させ、マイク３０から入力されたアナログ信号を音声処理ＬＳＩ３１により所定のサンプリング周波数でサンプリングしてデジタルデータに変換する。そのデータはシステムＬＳＩ２０に取り込まれてＲＡＭ２２内に一時的に格納された後に、画像ファイルに関連付けてメモリカード６に記録される。
【００２９】
ステップＳ１１７において押されていないと判定されると、図２のステップＳ１０６へ戻る。録音／再生ボタン５４が押されない場合には、所定の画像再生時間が経過するか、モニタボタン５２が再度押されるまで画像再生表示が行われる。なお、ステップＳ１１６およびＳ１１８で録音や再生が開始されたときに、画像再生時間の計時を再スタートするようにしても良い。
【００３０】
《プロテクト設定の説明》
次に、画像削除に関するプロテクトの設定について、図５のフローチャートを参照して説明する。本実施の形態におけるプロテクト設定とは、ＤＯＳファイルシステムにおけるリードオンリー設定（削除禁止）を画像ファイルおよび音声ファイルに行うことである。
【００３１】
図５のステップＳ２０１でメニューボタン５３が押されると、ステップＳ２０２において図６（ａ）に示すような再生メニュー４００が表示モニタ４０に表示される。再生メニュー４００には削除４０１、プロテクト４０２、フォルダ設定４０３等の項目が表示されており、図１のマルチセレクター５６のボタン５６ａ，５６ｂを操作してカーソル４０４を上下に移動させることにより、各項目を選択することができる。
【００３２】
ステップＳ２０３ではマルチセレクター５６が操作されたか否かを判定し、操作されたと判定されるとステップＳ２０６へ進み、操作されていないと判定されるとステップＳ２０４へ進む。ステップＳ２０４では、ステップＳ１０６と同様に所定の再生時間が経過したか否かを判定する。ステップＳ２０４で所定再生時間が経過したと判定されると、ステップ２０５へ進んで再生メニューの処理を終了して表示モニタ４０をオフにし、一連の処理を終了する。ステップＳ２０４において所定再生時間が経過していないと判定されると、ステップＳ２０３へ戻る。
【００３３】
一方、ステップＳ２０３からステップＳ２０６へ進んだ場合には、ステップＳ２０６においてマルチセレクター５６のボタン５６ａ，５６ｂが押されたか否かを判定する。ステップＳ２０６でボタン５６ａ，５６ｂが押されたと判定されると、すなわちカーソル移動の操作があったと判定されると、ステップＳ２１０に進んでカーソル４０４を上または下に移動し、ステップＳ２０３へ戻る。ステップＳ２０６でボタン５６ａ，５６ｂが押されていないと判定されると、ステップＳ２０７へ進む。
【００３４】
ステップＳ２０７ではマルチセレクター５６のボタン５６ｃが押されたか否かを判定し、押されたと判定されるとステップＳ２１１へ進み、押されていないと判定されるとステップＳ２０８へ進む。ステップＳ２０７からステップＳ２１１へ進んだ場合には、表示モニタ４０に再生メニュー、撮影メニュー、セットアップメニューおよびカスタムセッティングメニューなどのメニュー項目が表示されたメニュー切換画面を表示して、各メニューへの切り換えが可能な状態にする。
【００３５】
この状態で再生メニュー以外のメニュー項目が選択されると、図５の再生メニューの処理を終了して選択されたメニューでの処理に切り替わる。ここでは、再生メニューでの処理を説明し、他のメニュー処理については説明を省略する。すなわち、ステップＳ２１１で他のメニューへの切換操作がない場合には、ステップＳ２１１からステップＳ２０３へ戻る。
【００３６】
一方、ステップＳ２０７からステップＳ２０８へ進んだ場合には、ステップＳ２０８においてボタン５６ｄが押されたか否か、すなわち、図６（ａ）のカーソル４０４が表示された項目の選択操作がされたか否かを判定する。ステップＳ２０８でボタン５６ｄが押されたと判定されるとステップＳ２１２へ進み、押されていないと判定されるとステップＳ２０９へ進む。ステップＳ２０９ではメニューボタン５３が押されたか否かを判定し、押されたと判定されるとステップＳ２０５へ進み、押されていないと判定されるとステップＳ２０３へ戻る。一方、ステップＳ２０８からステップ２１２へ進んだ場合には、図６（ａ）のカーソル４０４で選択された項目の設定処理が行われ、その後ステップＳ２０３へ戻る。
【００３７】
ステップＳ２１２の項目設定処理については、以下ではプロテクトに関するものについて説明する。図７はプロテクト項目設定処理を示すフローチャートである。ステップＳ３０１ではメモリカード６から６コマ分の画像データを読み込み、各画像データに対するサムネイル画像を作成する。ステップＳ３０２では、作成したサムネイル画像を表示モニタ４０にサムネイル表示する。図６（ｂ）はサムネイル表示４０５を示す図であり、画像Ａ〜Ｆの６コマが表示されている。画像Ｂには、画像選択用のカーソル４０６が表示されている。
【００３８】
ステップＳ３０３では、マルチセレクター５６のボタン５６ａ，５６ｂを操作し、プロテクト設定を施したい画像へカーソル４０６を移動して画像の選択を行う。ステップＳ３０４では、選択された画像にプロテクトが設定されているか否かを判定する。ステップＳ３０４でプロテクトが設定されていないと判定されるとステップＳ３０５へ進む。ステップＳ３０５で設定／解除ボタン５５が押されると、カーソル４０５で選択された画像の画像ファイルに対してプロテクト設定が行われる。例えば、画像ファイルのヘッダーに、ＤＯＳシステムのリードオンリー設定のフラグを立てる。
【００３９】
図６（ｃ）に示すように、表示モニタ４０のサムネイル画像Ｂには、プロテクト設定されていることを示すプロテクトマーク４０７が表示される。ステップＳ３０６では、選択された画像Ｂに関連付けられた音声ファイルが、メモリカード６内に記録されているか否かを判定する。ステップＳ３０６で音声ファイルがあると判定されると、ステップＳ３０７に進んで対応する音声ファイルにもプロテクト設定を施す。一方、ステップＳ３０６で音声ファイルが無いと判定されるとステップＳ３１１へ進む。
【００４０】
一方、ステップＳ３０４においてプロテクト設定が既にされていると判定されると、ステップＳ３０４からステップＳ３０８へと進む。ステップＳ３０８で設定／解除ボタン５５が押されると、カーソル４０５で選択された画像の画像ファイルのプロテクトが解除される。ステップＳ３０９では、選択された画像Ｂに関連付けられた音声ファイルが、メモリカード６内に記録されているか否かを判定する。ステップＳ３０９で音声ファイルがあると判定されると、ステップＳ３１０に進んで対応する音声ファイルのプロテクトを解除する。一方、ステップＳ３０９で音声ファイルが無いと判定されるとステップＳ３１１へ進む。
【００４１】
ステップＳ３１１では、マルチセレクター５６のボタン５６ｃが押されたか否かを判定する。ステップＳ３１１でボタン５６ｃが押されたと判定されると、ステップＳ３１２へ進んで図６（ａ）の再生メニュー画面を表示して一連のプロテクト項目設定処理を終了し、その後、図５のステップＳ２０３へ戻る。一方、ステップＳ３１１でボタン５６ｃが押されていないと判定されると、ステップＳ３０３へ戻る。図７のステップＳ３０３からステップＳ３１１までの処理を繰り返すことにより、複数の画像に対して順にプロテクトの設定および解除を行うことができる。
【００４２】
図８（ａ）は、メモリカード６に記録された画像ファイルと音声ファイルとを模式的に示したものである。図８（ａ）において「DSC 0001.JPG」〜「DSC 0004.JPG」は画像ファイルを表しており、「SND 0001.WAV」〜「SND 0003.WAV」は音声ファイルを表している。音声ファイル「SND 0001.WAV」、「SND 0002.WAV」、「SND 0003.WAV」は各々画像ファイル「DSC 0001.JPG」、「DSC 0002.JPG」、「DSC 0003.JPG」に関連付けられている。
【００４３】
図８（ａ）では、画像ファイル「DSC 0002.JPG」、「DSC 0003.JPG」と、各々に関連付けられた音声ファイル「SND 0002.WAV」、「SND 0003.WAV」とに対してプロテクトが設定されている。なお、図８では、「＊」で示すマーク６０１でファイルがプロテクト設定されていることを表した。図８（ａ）のようなプロテクト設定状態において、プロテクト設定された画像以外を削除する目的で全削除操作を行うと、図８（ｂ）のようにプロテクト設定を施されたファイル「DSC 0002.JPG」、「DSC 0001.JPG」、「SND 0002.WAV」、「SND 0003.WAV」のみが残ることになる。
【００４４】
このように、本実施の形態では表示モニタ４０に表示された画像に対してプロテクトを設定すると、画像ファイルだけでなく画像ファイルに関連付けられた音声ファイルに対してもプロテクト設定が施される。そのため、保存すべき画像ファイルに関連付けられた音声ファイルを、不用意に削除してしまうのを防止することができる。また、メモリカード６内の画像ファイルおよび音声ファイルをパーソナルコンピュータ等に転送して処理を行う場合にも、画像ファイルだけでなく音声ファイルにもＤＯＳシステムのリードオンリー設定がされている。そのため、デジタルカメラ以外の機器でファイル操作をする場合にも、誤って音声ファイルを削除してしまうような不具合が発生しにくい。
【００４５】
上述した実施の形態では、プロテクト設定を例に説明したが、非表示設定（ＤＯＳファイルシステムの非表示設定）や、削除に関する設定などにも同様に適用することができる。さらに、画像ファイルと音声ファイルとに同一の設定がされていて、その設定を変更・修正する場合にも、両ファイルに対して同様の変更・修正操作を行う。例えば、上述したプロテクト設定で設定解除を行う場合、画像ファイルに行われる解除操作と同様の解除操作を音声ファイルに対しても行う。
【００４６】
また、画像ファイルと音声ファイルとを図８に示したように独立したファイルとして記録するような場合、削除操作に対して、上述したように削除設定（他のデータの上書きを許可する設定）を一致させるようにしても良いし、実質的なデータ削除動作を画像ファイルと音声ファイルに行っても良い。このように同一のファイル操作を行わせる他の例としては、画像ファイルの外部機器への転送がある。この場合、画像ファイルに関連付けられた音声ファイルも自動的に転送されるようにする。上述したようなファイル属性の設定や、転送などのファイル操作はシステムＬＳＩ２０によって行われる。
【００４７】
【発明の効果】
本発明によれば、画像ファイルに関連付けられた音声ファイルにおける不具合が発生しにくいデジタルカメラを提供することができる。
【図面の簡単な説明】
【図１】本発明によるデジタルカメラの一実施の形態を示すブロック図である。
【図２】録音・音声再生動作を説明するフローチャートである。
【図３】図２に続く処理を示すフローチャートである。
【図４】画像表示例を示す図であり、（ａ）は音声ファイルが無い場合の画像表示を示し、（ｂ）は音声ファイルが有る場合の画像表示を示したものである。
【図５】画像削除に関するプロテクト設定を説明するフローチャートである。
【図６】プロテクト設定時における表示モニタ４０の表示画面を示す図であり、（ａ）は再生メニューを、（ｂ）はサムネイル表示を、（ｃ）はプロテクト画像選択画面をそれぞれ示す。
【図７】プロテクト項目設定処理を示すフローチャートである。
【図８】メモリカード６に記録された画像ファイルおよび音声ファイルを示す模式図であり、（ａ）は全削除前を示し、（ｂ）は全削除後を示す。
【符号の説明】
１  撮像部
２  デジタル回路部
３  音声回路部
４  画像再生回路部
５  操作部
６  メモリカード
１０  ＣＣＤ撮像素子
２０  システムＬＳＩ
４０  表示モニタ
４２  音声マーク
４０７  プロテクトマーク
【図１】
0004602633.tif 000002
【図２】
0004602633.tif 000003
【図３】
0004602633.tif 000004
【図４】
0004602633.tif 000005
【図５】
0004602633.tif 000006
【図６】
0004602633.tif 000007
【図７】
0004602633.tif 000008
【図８】
0004602633.tif 000009